(57)【特許請求の範囲】
【請求項１】
ユーザが機器に対して身体の一部をかざす入力操作に応じて、機器から身体の一部までの離間距離を検出する検出手段と、
複数回の入力操作に対応して前記検出手段により検出された複数個の前記離間距離を入力パスワード情報に変換するパスワード変換手段と、
前記パスワード変換手段により変換された入力パスワード情報と、予め記憶されたセキュリィティロック解除用のパスワード情報とが一致するか否かを判別し、一致した場合にセキュリティロックを解除する解除手段と
を具備することを特徴とするセキュリティ装置。
【請求項２】
前記入力操作が行われる毎に、前記検出手段により検出される離間距離に対応した遠近度を取得する取得手段を、更に備え、
前記パスワード変換手段は、複数回の入力操作に対応して前記取得手段により取得された複数個の遠近度を入力パスワード情報に変換することを特徴とする請求項１記載のセキュリティ装置。
【請求項３】
前記遠近度は、少なくとも２つの段階を示すことを特徴とする請求項２記載のセキュリティ装置。
【請求項４】
機器を使用とする人の有無を検知する検知手段と、
前記検知手段が機器を使用とする人を検知した場合に、機器に対して身体の一部をかざす入力操作を行うように案内表示する案内表示手段と
を更に備えることを特徴とする請求項１乃至３の何れか一項に記載のセキュリティ装置。
【請求項５】
セキュリティ装置が機器のセキュリティロックを解除するセキュリティロック解除方法であって、
ユーザが当該セキュリティ装置を備えた機器に対して身体の一部をかざす入力操作に応じて、機器から身体の一部までの離間距離を検出する検出処理と、
複数回の入力操作に対応して前記検出処理により検出された複数個の前記離間距離を入力パスワード情報に変換するパスワード変換処理と、
前記パスワード変換処理により変換された入力パスワード情報と、予め記憶されたセキュリィティロック解除用のパスワード情報とが一致するか否かを判別し、一致した場合にセキュリティロックを解除する解除処理と
を含むことを特徴とするセキュリティロック解除方法。
【請求項６】
コンピュータに、
ユーザが機器に対して身体の一部をかざす入力操作に応じて、機器から身体の一部までの離間距離を検出する検出ステップと、
複数回の入力操作に対応して前記検出ステップにて検出された複数個の前記離間距離を入力パスワード情報に変換するパスワード変換ステップと、
前記パスワード変換ステップにより変換された入力パスワード情報と、予め記憶されたセキュリィティロック解除用のパスワード情報とが一致するか否かを判別し、一致した場合にセキュリティロックを解除する解除ステップと
を実行させることを特徴とするプログラム。
【発明の詳細な説明】
【技術分野】
【０００１】
本発明は、電子機器にセキュリティ機能を提供するセキュリティ装置、セキュリティロック解除方法およびプログラムに関する。
【背景技術】
【０００２】
他人に不用意に個人情報を知られたり、不正使用されたりしないようにするセキュリティ機能を備える電子機器が知られている。例えば特許文献１に開示の電子機器（情報端末）では、使用者に対してパスワード入力を要求し、この要求に応じて入力されるパスワードと、予め機器側に記憶されるパスワードとが一致するか否かを判定し、一致しなかったときには機器本体の電源をオフにすると共に、不正使用を示す情報を記録するパスワード入力方式のセキュリティ機能が開示されている。
【先行技術文献】
【特許文献】
【０００３】
【特許文献１】特開２００４−１１０８４０号公報
【発明の概要】
【発明が解決しようとする課題】
【０００４】
ところで、上記特許文献１に開示のパスワード入力方式では、キーボードやキースイッチなどを用いてパスワードを入力する必要がある為、キー操作に不慣れな高齢者やキー操作が覚束ない幼児には使い勝手が悪いという問題がある。
【０００５】
本発明は、このような事情に鑑みてなされたもので、高齢者や幼児でも簡単にパスワードを入力することができるセキュリティ装置、セキュリティロック解除方法およびプログラムを提供することを目的としている。
【課題を解決するための手段】
【０００６】
上記目的を達成するため、請求項１に記載の発明では、ユーザが機器に対して身体の一部をかざす入力操作に応じて、機器から身体の一部までの離間距離を検出する検出手段と、複数回の入力操作に対応して前記検出手段により検出された複数個の前記離間距離を入力パスワード情報に変換するパスワード変換手段と、前記パスワード変換手段により変換された入力パスワード情報と、予め記憶されたセキュリィティロック解除用のパスワード情報とが一致するか否かを判別し、一致した場合にセキュリティロックを解除する解除手段とを具備することを特徴とする。
【発明の効果】
【０００７】
本発明では、高齢者や幼児でも簡単にパスワードを入力することができる。
【図面の簡単な説明】
【０００８】
【図１】実施の一形態によるセキュリティ装置を備えた画像表示装置１００の外観を示す外観図である。
【図２】画像表示装置１００の構成を示すブロック図である。
【図３】光電センサ１６と掌との遠近度の関係を説明するための図である。
【図４】セキュリティ処理の動作を示すフローチャートである。
【発明を実施するための形態】
【０００９】
以下、図面を参照して本発明の実施形態について説明する。
Ａ．構成
図１は、実施の一形態によるセキュリティ装置を備えた画像表示装置１００の外観を示す外観図である。この図に示す画像表示装置１００は、デジタルフォトフレームと呼ばれ、カラー液晶パネルを含む表示部１４を額縁状フレームＦにより支持固定する外観を有する。額縁状フレームＦの上辺部には、ユーザがかざす掌の位置を検出する光電センサ１６と、人体を検知する赤外線センサ１７とが設けられる。
【００１０】
次に、図２を参照して上記外観を有する画像表示装置１００の構成を説明する。図２は実施の一形態によるセキュリティ装置を備えた画像処理装置１００の構成を示すブロック図である。この図において、ＣＰＵ１０は、操作部１３が発生する各種スイッチイベントに応じて装置各部を制御する。本発明の要旨に係わるＣＰＵ１０の特徴的な処理動作（後述のセキュリティ処理）については追って詳述する。
【００１１】
ＲＯＭ１１には、ＣＰＵ１０にロードされる各種の制御プログラムや制御データが記憶される。各種の制御プログラムとは、後述のセキュリティ処理を含む。ＲＡＭ１２は、ＣＰＵ１０の処理に用いられる各種レジスタ・フラグデータが一時記憶されるワークエリアの他、パスワード情報記憶エリアを備える。このパスワード情報記憶エリアには、ユーザ操作により予め設定されるセキュリィティロック解除用のパスワード情報が登録される。
【００１２】
操作部１３は、額縁状フレームＦの側面や背面側に配設される各種操作スイッチ（不図示）を有し、ユーザ操作されるスイッチ種に対応したスイッチイベントを発生する。スイッチイベントはＣＰＵ１０に取り込まれる。表示部１４は、カラー液晶パネル等から構成され、画像処理部１５から供給されるビデオ再生信号を画面表示する。画像処理部１５は、ＣＰＵ１０の制御の下に、記録媒体Ｉ／Ｏ部１８を介して外部記録媒体から読み出した画像データをビデオ再生信号に変換して出力する。
【００１３】
光電センサ１６は、信号光（赤外光）を発光する発光素子と、検出対象から反射される信号光のスポット位置を受光検出する位置検出素子（一次元ＰＳＤ）とを備え、公知の光学的三角測距原理に基づき図３に図示するように、ユーザがかざす掌までの位置（離間距離）を検出する。本実施形態では、光電センサ１６の検出出力に基づきユーザがかざす掌の位置を、「近」又は「遠」の遠近度として取得する。すなわち、図３（ａ）に図示するように、光電センサ１６により検出される掌までの離間距離が所定距離未満であれば、ＣＰＵ１０が遠近度を「近」として取得し、一方、掌までの離間距離が所定距離以上ならば、ＣＰＵ１０が遠近度を「遠」として取得する。
【００１４】
赤外線センサ１７は、周知の焦電型から構成され、センサ視野内に人体が入った場合に、背景と人体の表面温度との温度差に対応した人体検知信号を発生する。赤外線センサ１７から出力される人体検知信号は人体検知データに変換されてＣＰＵ１０に供給される。記録媒体Ｉ／Ｏ部１８は、ＣＰＵ１０の制御の下に、ＳＤカード／ＳＤＨＣカードなどの外部記録媒体に対して画像データを入出力する。
【００１５】
Ｂ．動作  
次に、図４を参照して上記構成による実施形態の動作を説明する。以下では、ＣＰＵ１０が実行するセキュリティ処理の動作について述べる。先ずステップＳ１では、赤外線センサ１７の出力に基づき人体検知したか否か、つまり画像表示装置１００を使おうとするユーザの有無を判断する。使おうとするユーザを検知しなければ、判断結果は「ＮＯ」となり、本処理を終えるが、使おうとするユーザを検知すると、判断結果が「ＹＥＳ」となり、ステップＳ２に進む。
【００１６】
ステップＳ２では、パスワードの入力をユーザに促す為に「センサに掌をかざしてください」という操作ガイドを文字表示するパスワード入力画面を表示部１４に表示する。次いで、ステップＳ３では、光電センサ１６が検出出力を発生したか否か、つまり操作ガイドに従ってユーザが掌をセンサにかざしたかどうかを判断する。掌がかざされなければ、判断結果は「ＮＯ」になり、上記ステップＳ２に処理を戻して操作ガイドを継続する。そして、操作ガイドに従い、ユーザが掌をセンサにかざすと、上記ステップＳ３の判断結果は「ＹＥＳ」になり、ステップＳ４に進む。
【００１７】
ステップＳ４〜Ｓ７では、入力回数を表すポインタｉを「１」から「ｎ」までステップ数「１」ずつ増加させる毎に、ステップＳ５〜Ｓ６の処理を繰り返すループ処理を実行する。すなわち、ステップＳ５では、ｉ番目の入力操作の案内表示を表示部１４に表示し、続くステップＳ６では、光電センサ１６の検出出力に基づきユーザがかざす掌の位置を、「近」又は「遠」の遠近度として取得する。すなわち、図３に図示するように、光電センサ１６により検出される掌までの離間距離が所定距離未満であると、遠近度を「近」として取得し、一方、掌までの離間距離が所定距離以上ならば、遠近度を「遠」として取得する。
【００１８】
そして、上述のステップＳ５〜Ｓ６の処理を、ｎ回繰り返すことによってｎ個の遠近度が取得されると、ステップＳ８に進み、取得されたｎ個の遠近度を入力パスワードに変換する。具体的には、例えば上述したステップＳ５〜Ｓ６の処理を４回繰り返して４個の遠近度「近，遠，遠，近」が取得されたとする。そして、取得された４個の遠近度「近，遠，遠，近」の内、「近」を「１」、「遠」を「０」とする二値化により「１，０，０，１」なる４ビットデータの入力パスワードに変換される。
【００１９】
次いで、ステップＳ９では、上記ステップＳ８にて変換された入力パスワードのデータが、ＲＡＭ１２のパスワード情報記憶エリアに予め登録されるセキュリィティロック解除用のパスワード情報と一致するか否かを判断する。変換された入力パスワードのデータとセキュリィティロック解除用のパスワード情報とが一致しなければ、判断結果は「ＮＯ」になり、ステップＳ１０に進み、パスワード誤入力を表示部１４に画面表示した後、前述のステップＳ４に処理を戻してパスワード入力をやり直しさせる。
【００２０】
一方、変換された入力パスワードのデータとセキュリィティロック解除用のパスワード情報とが一致すると、上記ステップＳ９の判断結果が「ＹＥＳ」になり、ステップＳ１１に進み、セキュリティロックを解除して本処理を終える。なお、セキュリティロックを解除して本処理を終えると、例えば図示されていないメインルーチンが起動されて画像表示装置１００（デジタルフォトフレーム）の全ての機能が実行可能になる。
【００２１】
以上のように、本実施形態では、ユーザが光電センサ１６に対して掌をかざす入力操作を行うと、その光電センサ１６により検出される掌までの離間距離が所定距離未満であると遠近度を「近」として取得し、一方、掌までの離間距離が所定距離以上であれば遠近度を「遠」として取得する。こうした入力操作をｎ回繰り返し行って取得されるｎ個の遠近度について、「近」を「１」、「遠」を「０」とする二値化によりｎビットデータの入力パスワードに変換し、変換した入力パスワードと、ＲＡＭ１２のパスワード情報記憶エリアに予め登録されるセキュリィティロック解除用のパスワード情報とが一致するか否かを判断する。変換された入力パスワードのデータとセキュリィティロック解除用のパスワード情報とが一致すると、セキュリティロックを解除するので、従来のように、キーボードやキースイッチなどを用いてパスワードを入力する必要が無くなり、キー操作に不慣れな高齢者やキー操作が覚束ない幼児でも簡単にパスワード入力することが可能になる。
【００２２】
なお、上述した実施形態では、光電センサ１６により検出される掌までの位置が所定距離未満であると遠近度を「近」として取得し、一方、掌までの位置が所定距離以上であれば遠近度を「遠」として取得するようにしたが、これに限らず、光電センサ１６により検出される掌までの位置が第１の距離未満の場合に遠近度を「近」、掌までの位置が第１の距離以上で第２の距離未満の場合に接近度を「中」、掌までの位置が第２の距離以上の場合に遠近度を「遠」とする３段階の遠近度を定義するようにしてもよい。そして、３段階の遠近度について、「近」を「０」、「中」を「１」、「遠」を「２」とする三進法のｎビットデータの入力パスワードに変換することも可能である。
【００２３】
以上、本発明の実施の一形態について説明したが、本発明はそれに限定されるものではなく、本願出願の特許請求の範囲に記載された発明とその均等の範囲に含まれる。以下では、本願出願当初の特許請求の範囲に記載された各発明について付記する。
【００２４】
（付記）
［請求項１］
ユーザが機器に対して身体の一部をかざす入力操作に応じて、機器から身体の一部までの離間距離を検出する検出手段と、
前記入力操作が行われる毎に、前記検出手段により検出される離間距離に対応した遠近度を取得する取得手段と、
複数回の入力操作に対応して前記取得手段により取得された複数個の遠近度を入力パスワード情報に変換するパスワード変換手段と、
前記パスワード変換手段により変換された入力パスワード情報と、予め記憶されたセキュリィティロック解除用のパスワード情報とが一致するか否かを判別し、一致した場合にセキュリティロックを解除する解除手段と
を具備することを特徴とするセキュリティ装置。
【００２５】
［請求項２］
機器を使用とする人の有無を検知する検知手段と、
前記検知手段が機器を使用とする人を検知した場合に、機器に対して身体の一部をかざす入力操作を行うように案内表示する案内表示手段と
を更に備えることを特徴とする請求項１記載のセキュリティ装置。
【００２６】
［請求項３］
コンピュータに、
ユーザが機器に対して身体の一部をかざす入力操作に応じて、機器から身体の一部までの離間距離を検出する検出ステップと、
前記入力操作が行われる毎に、前記検出ステップにて検出される離間距離に対応した遠近度を取得する取得ステップと、
複数回の入力操作に対応して前記取得ステップにて取得された複数個の遠近度を入力パスワード情報に変換するパスワード変換ステップと、
前記パスワード変換ステップにより変換された入力パスワード情報と、予め記憶されたセキュリィティロック解除用のパスワード情報とが一致するか否かを判別し、一致した場合にセキュリティロックを解除する解除ステップと
を実行させることを特徴とするプログラム。
【符号の説明】
【００２７】
１０  ＣＰＵ
１１  ＲＯＭ
１２  ＲＡＭ
１３  操作部
１４  表示部
１５  画像処理部
１６  光電センサ
１７  赤外線センサ
１８  記録媒体Ｉ／Ｏ部
１００  画像表示装置
【図１】
0005678797.tif 000002
【図２】
0005678797.tif 000003
【図３】
0005678797.tif 000004
【図４】
0005678797.tif 000005